(57)【特許請求の範囲】
【請求項１】
動画情報から生成された複数の画像情報であって、注目箇所の指定がされた範囲と、他の範囲とを異なる間隔で抽出した複数の画像情報を、所定の方向にスクロール可能に表示されるコンテンツに含まれる表示領域であって、一の画像情報が表示されるサイズの表示領域に、所定の順序に基づいて順番に表示する表示手順と、
前記表示手順により表示された前記表示領域の位置を移動させるユーザ操作を受け付ける受付手順と、
をコンピュータに実行させ、
前記表示手順は、
前記所定の方向へのスクロールに応じて、前記表示領域に表示される画像情報を前記所定の順序に基づいて変更することにより、前記表示領域に、前記所定の順序で前記複数の画像情報を連続して表示する
ことを特徴とする表示プログラム。
【請求項２】
前記表示手順は、
前記表示領域が画面における前記所定の方向の中央に表示される際に、前記複数の画像情報のうち、前記注目箇所の指定がされた範囲に対応する画像情報を表示する
ことを特徴とする請求項１に記載の表示プログラム。
【請求項３】
前記表示手順は、
前記所定の方向とは逆方向へのスクロールに応じて、前記所定の順序とは逆の順序で前記複数の画像情報を連続して表示する
ことを特徴とする請求項１または請求項２に記載の表示プログラム。
【請求項４】
動画情報から生成された複数の画像情報であって、注目箇所の指定がされた範囲と、他の範囲とを異なる間隔で抽出した複数の画像情報を、所定の方向にスクロール可能に表示されるコンテンツに含まれる表示領域であって、一の画像情報が表示されるサイズの表示領域に、所定の順序に基づいて順番に表示する表示部と、
前記表示部により表示された前記表示領域の位置を移動させるユーザ操作を受け付ける受付部と、
を備え、
前記表示部は、
前記所定の方向へのスクロールに応じて、前記表示領域に表示される画像情報を前記所定の順序に基づいて変更することにより、前記表示領域に、前記所定の順序で前記複数の画像情報を連続して表示する
ことを特徴とする端末装置。
【発明の詳細な説明】
【技術分野】
【０００１】
本発明は、表示プログラム、及び端末装置に関する。
【背景技術】
【０００２】
従来、動画情報を表示時間等に応じて編集する技術やユーザ操作に応じて動画情報を表示する技術が提供されている。
【先行技術文献】
【特許文献】
【０００３】
【特許文献１】特開２００６−０１１３５８号公報
【特許文献２】特開２０１１−１５４４２７号公報
【発明の概要】
【発明が解決しようとする課題】
【０００４】
しかしながら、上記の従来技術では適切に動画情報の内容をユーザに提供することが難しい。例えば、単純に動画情報の時間を短縮する編集をした場合、動画情報における重要箇所の内容をユーザに提供することが難しい。
【０００５】
本願は、上記に鑑みてなされたものであって、適切に動画の内容をユーザに提供する情報を生成することができる生成装置、生成方法、生成プログラム、端末装置、及び表示プログラムを提供することを目的とする。
【課題を解決するための手段】
【０００６】
本願に係る生成装置は、動画情報における注目箇所の指定を受け付ける受付部と、前記受付部により受け付けられた前記注目箇所の指定に基づいて、前記動画情報から、前記注目箇所の指定がされた範囲と、他の範囲とを異なる間隔で抽出した複数の画像情報を含む要約コンテンツを生成する生成部と、を備えたことを特徴とする。
【発明の効果】
【０００７】
実施形態の一態様によれば、適切に動画の内容をユーザに提供する情報を生成することができるという効果を奏する。
【図面の簡単な説明】
【０００８】
【図１】図１は、実施形態に係る生成処理の一例を示す図である。
【図２】図２は、実施形態に係る端末装置における表示処理の一例を示す図である。
【図３】図３は、実施形態に係る配信システムの構成例を示す図である。
【図４】図４は、実施形態に係る生成装置の構成例を示す図である。
【図５】図５は、実施形態に係る動画情報記憶部の一例を示す図である。
【図６】図６は、実施形態に係る画像情報記憶部の一例を示す図である。
【図７】図７は、実施形態に係る端末装置の構成例を示す図である。
【図８】図８は、実施形態に係る要約コンテンツの投稿の一例を示す図である。
【図９】図９は、実施形態に係る端末装置におけるハイライトの表示位置の一例を示す図である。
【図１０】図１０は、実施形態に係る端末装置におけるシーンの表示の一例を示す図である。
【図１１】図１１は、変形例に係る生成装置の構成例を示す図である。
【図１２】図１２は、生成装置の機能を実現するコンピュータの一例を示すハードウェア構成図である。
【発明を実施するための形態】
【０００９】
以下に、本願に係る生成装置、生成方法、生成プログラム、端末装置、及び表示プログラムを実施するための形態（以下、「実施形態」と呼ぶ）について図面を参照しつつ詳細に説明する。なお、この実施形態により本願に係る生成装置、生成方法、生成プログラム、端末装置、及び表示プログラムが限定されるものではない。また、以下の各実施形態において同一の部位には同一の符号を付し、重複する説明は省略される。
【００１０】
（実施形態）
〔１−１．生成処理〕
まず、図１を用いて、実施形態に係る生成処理の一例について説明する。図１は、実施形態に係る生成処理の一例を示す図である。図１に示す生成装置１００は、ユーザによる注目箇所（以下、「ハイライト」とする場合がある）の指定に基づいて、動画情報からハイライトの指定がされた範囲を他の範囲よりも短い間隔で抽出した複数の画像情報を含む要約コンテンツを生成する生成サービスを提供する。また、生成装置１００は、生成した要約コンテンツをユーザの端末装置１０に配信する。なお、ここでいう他の範囲とは、注目箇所（ハイライト）の指定がされた範囲以外の部分である。すなわち、ここでいう他の範囲とは、ハイライトの指定がされていない範囲のことをいう。
【００１１】
図１に示す例においては、動画情報ＭＶ１１から要約コンテンツＤＣ１１を生成する場合を示す。例えば、動画情報ＭＶ１１は、右を向いた子供が正面を向いた後、寄りから引きへ戻り、左を向くまでの一連の動作を示す３０秒の動画である。ここで、図１に示す例においては、動画情報ＭＶ１１を、シーンＡとシーンＢとシーンＣとの３つのシーンに分割される。具体的には、動画情報ＭＶ１１は、子供が右を向いた状態から正面を向くまでを示すシーンＡと、子供が徐々に寄りの状態になってから引きの状態に戻るまでを示すシーンＢと、子供が正面を向いた状態から左を向くまでを示すシーンＣとに分割される。なお、シーンの分割は、種々の従来技術を用いて生成装置１００が自動的に行ってもよいし、ユーザの操作に応じて生成装置１００が行ってもよい。
【００１２】
また、例えばフレームレートが３０フレーム（以下、「コマ」とする場合がある）である場合、３０秒の動画であれば９００コマであり、各シーンは３００コマずつ含むが、図１に示す例においては、説明のために各シーンが、６コマずつ含む場合を示す。具体的には、シーンＡが画像情報Ｃ１０−１〜Ｃ１０−６に対応する６コマを含み、シーンＢが画像情報Ｃ１０−７〜Ｃ１０−１２に対応する６コマを含み、シーンＣが画像情報Ｃ１０−１３〜Ｃ１０−１８に対応する６コマを含む。なお、図１に示す例においては、動画情報ＭＶ１１における画像情報Ｃ１０−１に対応するコマが表示された場合、画像情報Ｃ１０−１と同じ表示態様であるため画像情報Ｃ１０−１としているが、表示時点での動画情報ＭＶ１１における画像情報Ｃ１０−１に対応するデータ（情報）と、画像情報Ｃ１０−１自体のデータ（情報）は異なってもよい。以下では、画像情報Ｃ１０−１〜画像情報Ｃ１０−１８について、特に区別なく説明する場合には、画像情報Ｃ１０と記載する。
【００１３】
ここで、図１では、ユーザがシーンＢをハイライトとして指定する（ステップＳ１１）。この場合、生成装置１００は、シーンＢをハイライトとして要約コンテンツＤＣ１１を生成する（ステップＳ１２）。具体的には、生成装置１００は、動画情報ＭＶ１１からハイライトの指定がされた範囲であるシーンＢと、他の範囲であるシーンＡ及びシーンＣとを異なる間隔で抽出した複数の画像情報Ｃ１０を含む要約コンテンツＤＣ１１を生成する。
【００１４】
図１では、ハイライトとして指定されていないシーンＡからは６コマ中２コマがキャプチャされて画像情報として抽出される。具体的には、ハイライトとして指定されていないシーンＡからは画像情報Ｃ１０−２及び画像情報Ｃ１０−５が抽出される。つまり、画像情報Ｃ１０−２及び画像情報Ｃ１０−５が、シーンＡの内容を示すダイジェストとなる。
【００１５】
また、図１では、ハイライトとして指定されたシーンＢからは６コマ中４コマがキャプチャされて画像情報として抽出される。具体的には、ハイライトとして指定されたシーンＢからは画像情報Ｃ１０−７、画像情報Ｃ１０−９、画像情報Ｃ１０−１０、及び画像情報Ｃ１０−１２が抽出される。つまり、画像情報Ｃ１０−７、画像情報Ｃ１０−９、画像情報Ｃ１０−１０、及び画像情報Ｃ１０−１２が、シーンＢの内容を示すダイジェストとなる。このように、ハイライトとして指定されたシーンからは、ハイライトとして指定されていないシーンよりも多くの画像情報が抽出される。
【００１６】
図１では、ハイライトとして指定されていないシーンＣからは６コマ中２コマがキャプチャされて画像情報として抽出される。具体的には、ハイライトとして指定されていないシーンＣからは画像情報Ｃ１０−１４及び画像情報Ｃ１０−１７が抽出される。つまり、画像情報Ｃ１０−１４及び画像情報Ｃ１０−１７が、シーンＣの内容を示すダイジェストとなる。なお、生成装置１００は、ハイライト指定がされたかに応じて規定される数だけ、各シーンから所定の間隔でコマを画像情報として抽出してもよいし、そのシーンの特徴的なコマを画像情報として抽出してもよい。
【００１７】
上述のように各シーンから画像情報Ｃ１０を抽出することにより、生成装置１００は、ハイライトの指定がされたシーンから抽出された画像情報の数が、他のシーンから抽出された画像情報の数よりも多い要約コンテンツを生成する。具体的には、生成装置１００は、ハイライトの指定がされたシーンＢから抽出された４つの画像情報Ｃ１０−７、Ｃ１０−９、Ｃ１０−１０、Ｃ１０−１２を含む要約コンテンツＤＣ１１を生成する。また、生成装置１００は、ハイライトの指定がされていないシーンＡから抽出された２つの画像情報Ｃ１０−２、Ｃ１０−５を含む要約コンテンツＤＣ１１を生成する。また、生成装置１００は、ハイライトの指定がされていないシーンＣから抽出された２つの画像情報Ｃ１０−１４、Ｃ１０−１７を含む要約コンテンツＤＣ１１を生成する。すなわち、図１に示す例において、生成装置１００は、８つの画像情報Ｃ１０−２、Ｃ１０−５、Ｃ１０−７、Ｃ１０−９、Ｃ１０−１０、Ｃ１０−１２、Ｃ１０−１４、Ｃ１０−１７を含む要約コンテンツＤＣ１１を生成する。
【００１８】
これにより、生成装置１００は、適切に動画の内容をユーザに提供する情報を生成することができる。具体的には、生成装置１００は、ハイライトの指定がされたシーンＢの内容を他のシーンＡ、Ｃの内容よりも多く含む要約コンテンツＤＣ１１を生成することにより、適切に動画の内容をユーザに提供する情報を生成することができる。なお、生成装置１００は、ハイライトに指定された部分に対応する画像情報が要約コンテンツに含まれれば、どのように画像情報を抽出してもよい。例えば、要約コンテンツは、ハイライトの指定がされたシーンＢから抽出した画像情報が含まれれば、シーンＡやシーンＣから抽出した画像情報が含まれなくてもよい。また、図１に示す例においては、複数のシーンから１つのシーンをハイライトとして指定する場合を示したが、ハイライトは、複数のシーンが指定されてもよいし、シーンによる指定ではなく例えば１０秒から１５秒の間等の時間による指定であってもよい。
【００１９】
〔１−２．表示処理〕
次に、図２を用いて、実施形態に係る端末装置１０における表示処理の一例について説明する。図２は、実施形態に係る端末装置における表示処理の一例を示す図である。図２に示す例においては、生成装置１００から要約コンテンツＤＣ１１が配信された端末装置１０に、要約コンテンツＤＣ１１が表示される場合を示す。具体的には、端末装置１０が、生成装置１００から配信された要約コンテンツＤＣ１１を所定のコンテンツ中の表示領域ＡＲ１０に表示する場合を示す。図２に示す例においては、端末装置１０がタッチパネル機能を有するスマートフォンである場合を示す。
【００２０】
図２に示す例では、端末装置１０は、ユーザによる上下方向へのスクロール操作に応じて、端末装置１０の画面ＤＰ１０における表示領域ＡＲ１０の表示位置が上下方向に移動することに応じて、要約コンテンツＤＣ１１の表示を変更する。なお、図２に示す例では、表示領域ＡＲ１０は、画面ＤＰ１０の下側から徐々に画面ＤＰ１０に表示されるものとする。図２に示す例において、端末装置１０の画面ＤＰ１０には、８つの画像情報Ｃ１０が、画像情報Ｃ１０−２、Ｃ１０−５、Ｃ１０−７、Ｃ１０−９、Ｃ１０−１０、Ｃ１０−１２、Ｃ１０−１４、Ｃ１０−１７の順序で表示される。つまり、要約コンテンツＤＣ１１において、最初に表示される画像情報は画像情報Ｃ１０−２であり、最後に表示される画像情報は画像情報Ｃ１０−１７である。
【００２１】
また、図２に示す例においては、端末装置１０の表示内容の変更に応じて、端末装置１０を端末装置１０−１〜端末装置１０−９として説明する。なお、端末装置１０−１〜１０−９は同一の端末装置１０である。また、以下では、端末装置１０−１〜端末装置１０−９について、特に区別なく説明する場合には、端末装置１０と記載する。
【００２２】
また、図２に示す例においては、端末装置１０の画面ＤＰ１０における上端を上端ＴＰ１とし、画面ＤＰ１０における下端を下端ＢＴ１とし、画面ＤＰ１０における上下方向の中間を中間ＭＤ１として説明する。また、図２に示す例においては、画面ＤＰ１０において画像情報Ｃ１０が表示される表示領域ＡＲ１０の上端を上端ＴＰ２とし、表示領域ＡＲ１０の下端を下端ＢＴ２とし、表示領域ＡＲ１０の上下方向の中間を中間ＭＤ２として説明する。
【００２３】
まず、図２に示す例において、端末装置１０−１は、表示領域ＡＲ１０の下端ＢＴ２が画面ＤＰ１０に表示されていないため、ユーザによる上下方向へのスクロール操作が行われても、最初の画像情報Ｃ１０−２を表示した状態を維持する。ここで、端末装置１０は、ユーザにより表示領域ＡＲ１０の画面ＤＰ１０における位置を上側へ移動させるスクロール操作（以下、「下スクロール」とする場合がある）が行われた場合（ステップＳ２１）、表示領域ＡＲ１０の下端ＢＴ２が画面ＤＰ１０の下端ＢＴ１に到達する。
【００２４】
そして、端末装置１０−２は、表示領域ＡＲ１０の下端ＢＴ２が画面ＤＰ１０の下端ＢＴ１に到達した状態を示しており、表示領域ＡＲ１０には画像情報Ｃ１０−２が表示される。端末装置１０−２は、ユーザにより下スクロールが行われた場合（ステップＳ２２）、表示領域ＡＲ１０の移動に応じて画像情報Ｃ１０−２から次の画像情報Ｃ１０−５へ表示領域ＡＲ１０の表示を変更する。
【００２５】
また、端末装置１０−３は、表示領域ＡＲ１０の下端ＢＴ２が画面ＤＰ１０の下端ＢＴ１よりも上に位置する状態を示しており、表示領域ＡＲ１０には画像情報Ｃ１０−５が表示される。そして、端末装置１０−３は、ユーザにより下スクロールが行われた場合（ステップＳ２３）、表示領域ＡＲ１０の移動に応じて画像情報Ｃ１０−５から次の画像情報Ｃ１０−７へ表示領域ＡＲ１０の表示を変更する。なお、端末装置１０−３は、ユーザにより表示領域ＡＲ１０の画面ＤＰ１０における位置を下側へ移動させるスクロール操作（以下、「上スクロール」とする場合がある）が行われた場合、表示領域ＡＲ１０の移動に応じて画像情報Ｃ１０−５から前の画像情報Ｃ１０−２へ表示領域ＡＲ１０の表示を変更する。このように、端末装置１０は、上スクロールにより表示領域ＡＲ１０の表示を前の状態に戻すことができる。すなわち、端末装置１０は、下スクロールや上スクロールにより、表示領域ＡＲ１０の表示を次の状態に進めたり、前の状態に戻したりすることができる。
【００２６】
また、端末装置１０−４は、表示領域ＡＲ１０の位置が端末装置１０−３における表示領域ＡＲ１０の位置より上である状態を示しており、表示領域ＡＲ１０には画像情報Ｃ１０−７が表示される。そして、端末装置１０−４は、ユーザにより下スクロールが行われた場合（ステップＳ２４）、表示領域ＡＲ１０の移動に応じて画像情報Ｃ１０−７から次の画像情報Ｃ１０−９へ表示領域ＡＲ１０の表示を変更する。
【００２７】
また、端末装置１０−５は、表示領域ＡＲ１０の位置が端末装置１０−４における表示領域ＡＲ１０の位置より上である状態を示しており、表示領域ＡＲ１０には画像情報Ｃ１０−９が表示される。そして、端末装置１０−５は、ユーザにより下スクロールが行われた場合（ステップＳ２５）、表示領域ＡＲ１０の移動に応じて画像情報Ｃ１０−９から次の画像情報Ｃ１０−１０へ表示領域ＡＲ１０の表示を変更する。
【００２８】
また、端末装置１０−６は、表示領域ＡＲ１０の位置が端末装置１０−５における表示領域ＡＲ１０の位置より上である状態を示しており、表示領域ＡＲ１０には画像情報Ｃ１０−１０が表示される。ここで、端末装置１０−６は、表示領域ＡＲ１０の中間ＭＤ２が画面ＤＰ１０の中間ＭＤ１に到達した状態を示しており、ハイライトに指定されたシーンＢから抽出された画像情報Ｃ１０−１０が表示領域ＡＲ１０に表示される。このように、端末装置１０は、要約コンテンツＤＣ１１を表示する表示領域ＡＲ１０の中間ＭＤ２が画面ＤＰ１０の中間ＭＤ１に到達した時点において、ハイライトに指定されたシーンＢから抽出された画像情報が表示領域ＡＲ１０に表示されるように表示領域ＡＲ１０の表示を切り替える。これにより、端末装置１０は、ユーザが視認しやすい画面ＤＰ１０の中央部においてハイライトに指定されたシーンＢから抽出された画像情報を表示させることができる。
【００２９】
そして、端末装置１０−６は、ユーザにより下スクロールが行われた場合（ステップＳ２６）、表示領域ＡＲ１０の移動に応じて画像情報Ｃ１０−１０から次の画像情報Ｃ１０−１２へ表示領域ＡＲ１０の表示を変更する。
【００３０】
また、端末装置１０−７は、表示領域ＡＲ１０の位置が端末装置１０−６における表示領域ＡＲ１０の位置より上である状態を示しており、表示領域ＡＲ１０には画像情報Ｃ１０−１２が表示される。そして、端末装置１０−７は、ユーザにより下スクロールが行われた場合（ステップＳ２７）、表示領域ＡＲ１０の移動に応じて画像情報Ｃ１０−１２から次の画像情報Ｃ１０−１４へ表示領域ＡＲ１０の表示を変更する。
【００３１】
また、端末装置１０−８は、表示領域ＡＲ１０の位置が端末装置１０−７における表示領域ＡＲ１０の位置より上である状態を示しており、表示領域ＡＲ１０には画像情報Ｃ１０−１４が表示される。そして、端末装置１０−８は、ユーザにより下スクロールが行われた場合（ステップＳ２８）、表示領域ＡＲ１０の移動に応じて画像情報Ｃ１０−１４から次の画像情報Ｃ１０−１７へ表示領域ＡＲ１０の表示を変更する。
【００３２】
また、端末装置１０−９は、表示領域ＡＲ１０の位置が端末装置１０−８における表示領域ＡＲ１０の位置より上である状態を示しており、表示領域ＡＲ１０には画像情報Ｃ１０−１７が表示される。ここで、端末装置１０−９は、表示領域ＡＲ１０の上端ＴＰ２が画面ＤＰ１０の上端ＴＰ１に到達した状態を示す。ここに、要約コンテンツＤＣ１１は、表示領域ＡＲ１０の上端ＴＰ２が画面ＤＰ１０の上端ＴＰ１に到達した時点において、最後の画像情報Ｃ１０−１７まで表示される。また、端末装置１０−９は、ユーザにより下スクロールが行われた場合、表示領域ＡＲ１０が表示されなくなるまで、最後の画像情報Ｃ１０−１７を表示した状態を維持する。
【００３３】
上述した表示処理により、端末装置１０を利用するユーザは、自身のスクロール操作に応じて表示態様が変動する要約コンテンツＤＣ１１を閲覧することができる。これにより、端末装置１０は、要約コンテンツＤＣ１１はユーザが画面に注視している際に、表示態様が変動するため、適切に動画情報の内容をユーザに提供することができる。具体的には、端末装置１０は、ハイライトの指定がされたシーンＢの内容を他のシーンＡ、Ｃの内容よりも多く含む要約コンテンツＤＣ１１をユーザに閲覧させることにより、適切に動画情報の内容をユーザに提供することができる。なお、上記例においては、表示領域ＡＲ１０が画面ＤＰ１０の下側から上側へ移動する例を示したが、表示領域ＡＲ１０が画面ＤＰ１０の上側から下側へ移動する場合、すなわち、端末装置１０は、表示領域ＡＲ１０が端末装置１０−９の位置から端末装置１０−１の位置へ移動するように操作された場合、最初の画像情報Ｃ１０−２から順に表示を開始してもよいし、最後の画像情報Ｃ１０−１７から順に表示を開始してもよい。
【００３４】
〔２．配信システムの構成〕
図３に示すように、配信システム１は、端末装置１０と、生成装置１００とが含まれる。端末装置１０と、生成装置１００とは所定のネットワークＮを介して、有線または無線により通信可能に接続される。図３は、実施形態に係る配信システムの構成例を示す図である。なお、図３に示した配信システム１には、複数台の端末装置１０や、複数台の生成装置１００が含まれてもよい。
【００３５】
端末装置１０は、ユーザによって利用される情報処理装置である。端末装置１０は、ユーザによる種々の操作を受け付ける。なお、以下では、端末装置１０をユーザと表記する場合がある。すなわち、以下では、ユーザを端末装置１０と読み替えることもできる。なお、上述した端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。
【００３６】
生成装置１００は、ユーザによるハイライトの指定に基づいて、動画情報からハイライトの指定がされた範囲と、他の範囲とを異なる間隔で抽出した複数の画像情報を含む要約コンテンツを生成する情報処理装置である。また、生成装置１００は、生成した要約コンテンツを端末装置１０へ配信する。
【００３７】
〔３．生成装置の構成〕
次に、図４を用いて、実施形態に係る生成装置１００の構成について説明する。図４は、実施形態に係る生成装置の構成例を示す図である。図４に示すように、生成装置１００は、通信部１１０と、記憶部１２０と、制御部１３０とを有する。なお、生成装置１００は、生成装置１００の管理者等から各種操作を受け付ける入力部（例えば、キーボードやマウス等）や、各種情報を表示するための表示部（例えば、液晶ディスプレイ等）を有してもよい。
【００３８】
通信部１１０は、例えば、ＮＩＣ（Network  Interface  Card）等によって実現される。そして、通信部１１０は、ネットワークと有線または無線で接続され、端末装置１０との間で情報の送受信を行う。
【００３９】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図４に示すように、動画情報記憶部１２１と、画像情報記憶部１２２とを有する。
【００４０】
（動画情報記憶部１２１）
実施形態に係る動画情報記憶部１２１は、動画に関する各種情報を記憶する。図５に、実施形態に係る動画情報記憶部１２１の一例を示す。図５に示す動画情報記憶部１２１は、「ユーザＩＤ」、「動画ＩＤ」、「時間」、「シーン」、「ハイライト」といった項目を有する。
【００４１】
「ユーザＩＤ」は、対応する動画情報を登録したユーザを識別するための識別情報を示す。「動画ＩＤ」は、動画情報を識別するための識別情報を示す。「時間」は、対応する動画情報の時間を示す。また、「シーン」は、対応する動画情報に含まれるシーンの動画情報中における位置を示す。「ハイライト」は、指定された動画情報中のハイライトを示す。
【００４２】
例えば、図５に示す例において、ユーザＩＤ「Ｕ１」により識別されるユーザは、動画ＩＤ「ＭＶ１１」により識別される動画情報や動画ＩＤ「ＭＶ１２」により識別される動画情報や動画ＩＤ「ＭＶ１３」により識別される動画情報を登録したことを示す。また、動画ＩＤ「ＭＶ１１」により識別される動画情報の時間は「３０秒」であり、最初のシーンＡは「０〜１０秒」の間であり、次のシーンＢは「１０〜２０秒」の間であり、最後のシーンＣは「２０〜３０秒」の間であることを示す。また、動画ＩＤ「ＭＶ１１」により識別される動画情報のハイライトは「シーンＢ」であることを示す。
【００４３】
なお、「ハイライト」は、１つのシーンだけでなく、複数のシーンであってもよい。図５に示す例において、動画ＩＤ「ＭＶ１２」により識別される動画情報のハイライトは、２つのシーンＢ及びシーンＣであることを示す。また、「ハイライト」は、シーンによる指定だけでなく、秒数による指定であってもよい。図５に示す例において、動画ＩＤ「ＭＶ１３」により識別される動画情報のハイライトは、１００〜１５０秒の間であることを示す。
【００４４】
また、動画情報記憶部１２１は、動画ＩＤにより識別される動画情報を記憶する。なお、動画情報記憶部１２１は、上記に限らず、目的に応じて種々の情報を記憶してもよい。例えば、動画情報記憶部１２１は、動画情報の格納場所を示すファイルパス名などを記憶してもよい。
【００４５】
（画像情報記憶部１２２）
実施形態に係る画像情報記憶部１２２は、画像に関する各種情報を記憶する。図６に、実施形態に係る画像情報記憶部１２２の一例を示す。図６に示す画像情報記憶部１２２は、「ユーザＩＤ」、「コンテンツＩＤ」、「動画ＩＤ」、「ハイライト」、「画像情報」、「スクロール回数」といった項目を有する。
【００４６】
「ユーザＩＤ」は、対応する動画情報を登録したユーザを識別するための識別情報を示す。「コンテンツＩＤ」は、要約コンテンツを識別するための識別情報を示す。「動画ＩＤ」は、動画情報を識別するための識別情報を示す。「ハイライト」は、指定された動画情報中のハイライトを示す。「画像情報」は、対応する要約コンテンツに含まれる画像情報を示す。例えば、「画像１」は、対応する要約コンテンツにおける最初の画像情報を識別する識別情報を示す。また、「スクロール回数」は、対応する要約コンテンツが配信された端末装置におけるスクロール回数を示す。例えば、「スクロール回数」は、端末装置１０において要約コンテンツが表示された際に、要約コンテンツの表示を進める方向（例えば上方向）に間欠的にスクロールした回数であってもよい。なお、「スクロール回数」は、目的に応じて種々の条件によりカウントされたスクロール回数であってもよい。また、「スクロール回数」は、端末装置１０において要約コンテンツが表示される表示領域の近傍に表示されてもよい。また、「スクロール切替え数」は、対応する要約コンテンツが配信された端末装置におけるスクロールの切り替え数を示す。ここでいうスクロール切替えとは、ユーザが所定方向にスクロール操作を行った後、所定方向と反対方向にスクロール操作を行うことをいう。例えば、「スクロール切替え数」は、端末装置１０において要約コンテンツが表示中において、ユーザが要約コンテンツの表示を進める方向（例えば上方向）に操作した後、その後要約コンテンツの表示を戻す方向（例えば下方向）に操作した場合を１回とカウントする。また、ユーザが要約コンテンツの表示を進める方向（例えば上方向）に再度スクロール操作した場合を１回とカウントしてもよい。このように、生成装置１００は、「スクロール切替え数」をカウントすることにより、ユーザが要約コンテンツにどれだけ関心を持っているかを推定することが可能となる。
【００４７】
例えば、図６に示す例において、コンテンツＩＤ「ＤＣ１１」により識別される要約コンテンツは、動画ＩＤ「ＭＶ１１」により識別される動画情報から生成されたことを示す。また、コンテンツＩＤ「ＤＣ１１」により識別される要約コンテンツにおけるハイライト部分は、対応する動画情報における「シーンＢ」に対応する部分であることを示す。また、コンテンツＩＤ「ＤＣ１１」により識別される要約コンテンツは、画像ＩＤ「Ｃ１０−２」により識別される画像情報や画像ＩＤ「Ｃ１０−５」により識別される画像情報や画像ＩＤ「Ｃ１０−７」により識別される画像情報を含むことを示す。例えば、画像ＩＤ「Ｃ１０−５」により識別される画像情報は、図１に示す画像情報Ｃ１０−５に対応する。また、コンテンツＩＤ「ＤＣ１１」により識別される要約コンテンツは、配信された端末装置１０においてスクロール操作がされた回数が「１００回」であることを示す。また、コンテンツＩＤ「ＤＣ１１」により識別される要約コンテンツは、配信された端末装置１０においてスクロールの切り替え操作行われた回数が「５０回」であることを示す。なお、スクロール操作に対するスクロールの切り替え操作の割合は、その要約コンテンツが繰り返し閲覧されたか示す指標とすることができる。例えば、コンテンツＩＤ「ＤＣ１２」により識別される要約コンテンツは、１回もスクロールの切り替え操作が行われなかった、すなわち、誰も繰り返し閲覧しなかったことを示す。言い換えると、スクロール操作に対するスクロールの切り替え操作の割合は、その要約コンテンツが適切なハイライトの指定により生成されているかを示す指標となり得る。例えば、スクロール操作の回数が多くても、スクロールの切り替え操作がほとんど行われていない場合、その要約コンテンツは、表示された回数が多いのみで、ユーザの関心を引くことができなかった可能性が高い。このような場合、生成装置１００は、例えば、スクロールの切り替え操作の回数が増えるように、ハイライトの指定を変更して、新たに要約コンテンツを生成してもよい。
【００４８】
また、画像情報記憶部１２２は、画像情報ＩＤにより識別される画像情報を記憶する。なお、画像情報記憶部１２２は、上記に限らず、目的に応じて種々の情報を記憶してもよい。例えば、画像情報記憶部１２２は、画像情報の格納場所を示すファイルパス名などを記憶してもよい。また、画像情報記憶部１２２は、スクロール回数やスクロール切替え数だけでなく、要約コンテンツに対する操作に関する情報であれば、目的に応じて種々の情報を記憶してもよい。例えば、画像情報記憶部１２２は、スクロール切替えが要約コンテンツ中のどのシーンで行われたかを記録してもよい。例えば、画像情報記憶部１２２は、スクロール切替えに関する情報として、各シーンのスクロール切替え回数を記憶してもよい。これにより、生成装置１００は、ユーザがどのシーンに関心を持ってスクロール切替えを行ったかを把握でき、ハイライトの推定を精度良く行うこと等が可能となる。
【００４９】
（制御部１３０）
図４の説明に戻って、制御部１３０は、例えば、ＣＰＵ（Central  Processing  Unit）やＭＰＵ（Micro  Processing  Unit）等によって、生成装置１００内部の記憶装置に記憶されている各種プログラム（生成プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５０】
図４に示すように、制御部１３０は、受付部１３１と、生成部１３２と、配信部１３３とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【００５１】
（受付部１３１）
例えば、受付部１３１は、ユーザが利用する端末装置１０から動画情報の登録を受け付ける。また、例えば、受付部１３１は、受け付けた動画情報を動画情報記憶部１２１に記憶する。また、受付部１３１は、動画情報におけるハイライトの指定を受け付ける、また、受付部１３１は、生成した要約コンテンツの配信要求を受け付ける。例えば、受付部１３１は、所定のコンテンツの表示領域に表示する要約コンテンツの配信要求を受け付ける。また、受付部１３１は、要約コンテンツを他のサービスに投稿する操作を受け付けてもよい。
【００５２】
（生成部１３２）
生成部１３２は、受付部１３１により受け付けられたハイライトの指定に基づいて、動画情報からハイライトの指定がされた範囲と、他の範囲とを異なる間隔で抽出した複数の画像情報を含む要約コンテンツを生成する。例えば、生成部１３２は、動画情報ＭＶ１１におけるシーンＢをハイライトとする指定に基づいて、動画情報ＭＶ１１からハイライトの指定がされた範囲であるシーンＢと、他の範囲であるシーンＡ及びシーンＣとを異なる間隔で抽出した複数の画像情報Ｃ１０を含む要約コンテンツＤＣ１１を生成する。
【００５３】
生成部１３２は、端末装置１０において所定の方向（例えば下方向）にスクロール可能に表示されるコンテンツに含まれる表示領域に、所定の方向へのスクロールに応じて、所定の順序で複数の画像情報が連続して表示される要約コンテンツを生成する。また、生成部１３２は、端末装置１０において表示領域が所定の方向の中央に表示される際に、複数の画像情報のうち、ハイライトの指定がされた範囲に対応する画像情報が表示される要約コンテンツを生成する。例えば、生成部１３２は、動画情報ＭＶ１１におけるシーンＢをハイライトとする指定に基づいて、端末装置１０において表示領域ＡＲ１０が上下方向の中央に表示される際に、ハイライトの指定がされた範囲であるシーンＢに対応する画像情報Ｃ１０−１０が表示される要約コンテンツＤＣ１１を生成する。また、生成部１３２は、所定の方向とは逆方向（例えば上方向）へのスクロールに応じて、所定の順序とは逆の順序で複数の画像情報が連続して表示される要約コンテンツを生成する。また、生成部１３２は、要約コンテンツに基づいて、他のサービスに投稿する動画情報を生成してもよい。
【００５４】
（配信部１３３）
配信部１３３は、配信要求に応じて対応する要約コンテンツを端末装置１０へ配信する。例えば、配信部１３３は、配信要求に応じて生成部１３２により生成された要約コンテンツＣＤ１１を端末装置１０へ配信する。
【００５５】
〔４．端末装置の構成〕
次に、図７を用いて、実施形態に係る端末装置１０の構成について説明する。図７は、実施形態に係る端末装置１０の構成例を示す図である。図７に示すように、端末装置１０は、通信部１１と、記憶部１２と、入力部１３と、出力部１４と、制御部１５とを有する。
【００５６】
（通信部１１）
通信部１１は、例えば、通信回路等によって実現される。そして、通信部１１は、図示しない所定の通信網と有線または無線で接続され、生成装置１００との間で情報の送受信を行う。
【００５７】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００５８】
（入力部１３）
入力部１３は、ユーザからの各種操作を受け付ける。例えば、入力部１３は、タッチパネル機能により表示面（例えば表示部１５４）を介してユーザからの各種操作を受け付けてもよい。また、入力部１３は、端末装置１０に設けられたボタンや、端末装置１０に接続されたキーボードやマウスからの各種操作を受け付けてもよい。
【００５９】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。出力部１４は、例えば、図１に示す例における端末装置１０の画面ＤＰ１０に対応する。
【００６０】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００６１】
図７に示すように、制御部１５は、受付部１５１と、送信部１５２と、受信部１５３と、表示部１５４とを有し、以下に説明する生成処理の機能や作用を実現または実行する。なお、制御部１５の内部構成は、図７に示した構成に限られず、後述する生成処理を行う構成であれば他の構成であってもよい。また、制御部１５が有する各処理部の接続関係は、図７に示した接続関係に限られず、他の接続関係であってもよい。
【００６２】
受付部１５１は、例えば入力部１３を介してユーザにより各種操作を受け付ける。例えば、受付部１５１は、表示部１５４により表示された要約コンテンツの表示を変更するユーザ操作を受け付ける。例えば、受付部１５１は、出力部１４（画面ＤＰ１０）に表示された表示領域ＡＲ１０の位置を移動させるユーザ操作を受け付ける。例えば、受付部１５１は、ユーザによる上スクロール操作や下スクロール操作を受け付ける。
【００６３】
送信部１５２は、外部装置へ種々の情報を送信する。送信部１５２は、受付部１５１により受け付けたユーザ操作に従って、生成装置１００へ配信要求を送信する。例えば、送信部１５２は、受付部１５１により受け付けたユーザ操作に従って、生成装置１００へ要約コンテンツの配信要求を送信する。また、送信部１５２は、受付部１５１により受け付けたユーザ操作に従って、動画情報を生成装置１００へ送信してもよい。
【００６４】
受信部１５３は、外部装置から配信された種々の情報を受信する。受信部１５３は、生成装置１００や他の外部装置から配信された種々のコンテンツを受信する。受信部１５３は、生成装置１００から配信された要約コンテンツを受信する。
【００６５】
表示部１５４は、動画情報から生成された要約コンテンツであって、ハイライトの指定がされた範囲と、他の範囲とを異なる間隔で抽出した複数の画像情報を含む要約コンテンツを表示する。例えば、表示部１５４は、受信部１５３により受信された要約コンテンツを出力部１４に表示する。
【００６６】
また、表示部１５４は、所定の方向にスクロール可能に表示されるコンテンツに含まれる表示領域に、所定の方向へのスクロールに応じて、所定の順序で複数の画像情報が連続して表示される要約コンテンツを表示する。例えば、表示部１５４は、上下方向にスクロール可能に表示されるコンテンツに含まれる表示領域ＡＲ１０に、上下方向へのスクロールに応じて、所定の順序で複数の画像情報Ｃ１０が連続して表示される要約コンテンツＤＣ１１を表示する。
【００６７】
また、表示部１５４は、表示領域が画面における所定の方向の中央に表示される際に、複数の画像情報のうち、ハイライトの指定がされた範囲に対応する画像情報が表示される要約コンテンツを表示する。例えば、表示部１５４は、表示領域ＡＲ１０が画面における上下方向の中央に表示される際に、複数の画像情報Ｃ１０のうち、ハイライトの指定がされた範囲であるシーンＢに対応する画像情報Ｃ１０−１０が表示される要約コンテンツＤＣ１１を表示する。
【００６８】
また、表示部１５４は、所定の方向とは逆方向へのスクロールに応じて、所定の順序とは逆の順序で複数の画像情報が連続して表示される要約コンテンツを表示する。例えば、表示部１５４は、下方向とは逆方向である上方向へのスクロールに応じて、所定の順序とは逆の順序で複数の画像情報Ｃ１０が連続して表示される要約コンテンツＤＣ１１を表示する。
【００６９】
なお、上述した制御部１５による表示処理等の処理は、例えば、ＪａｖａＳｃｒｉｐｔ（登録商標）などにより実現されてもよい。また、上述した表示処理が所定のアプリケーションにより行われる場合や表示処理が専用アプリにより行われる場合、制御部１５は、例えば、所定のアプリや専用アプリを制御するアプリ制御部を有してもよい。
【００７０】
〔５．要約コンテンツの他のサービスへの投稿〕
ここで、生成装置１００は、ユーザによる操作に応じて、他のサービスへ投稿する動画情報を要約コンテンツに基づいて生成してもよい。図８を用いて、要約コンテンツの他のサービスへの投稿の一例を説明する。図８は、実施形態に係る要約コンテンツの投稿の一例を示す図である。なお、図８中の端末装置１０−６と図２中の端末装置１０−６とは同じ表示内容である。
【００７１】
図８に示す例において、端末装置１０の画面ＤＰ１０に表示された表示領域ＡＲ１０には画像情報Ｃ１０−１０が表示される。また、端末装置１０の画面ＤＰ１０に表示された表示領域ＡＲ１０の下部には、他のサービスへ要約コンテンツに基づく動画情報を投稿するためのボタンＢＴ１０が表示される。例えば、端末装置１０の画面ＤＰ１０に表示されたボタンＢＴ１０をユーザがタッチすることにより、他のソーシャルメディアへ要約コンテンツに基づく動画情報が投稿される。
【００７２】
例えば、端末装置１０の画面ＤＰ１０に表示されたボタンＢＴ１０をユーザがタッチした場合、端末装置１０は、ボタンＢＴ１０がタッチされたことを示す情報を生成装置１００へ送信する。その後、生成装置１００は、ボタンＢＴ１０に対応する要約コンテンツに基づいて他のサービスへ投稿する動画情報を生成する。例えば、生成装置１００は、要約コンテンツに含まれる複数の画像情報に対応するコマからなる動画情報を生成してもよい。また、例えば、生成装置１００は、要約コンテンツにおけるハイライトに対応する部分のみを含む動画情報を生成してもよい。生成装置１００は、要約コンテンツに基づく動画情報を他のサービスを提供する外部装置へ送信することにより、要約コンテンツに基づく動画情報を他のサービスへ投稿してもよい。なお、端末装置１０は、表示領域ＡＲ１０の下部に、ボタンＢＴ１０等と並べて画像情報記憶部１２２に記憶された要約コンテンツＤＣ１１のスクロール回数を表示してもよい。
【００７３】
〔６．ハイライトに対応する画像情報の表示〕
次に、ハイライトに指定された部分に対応する画像情報の表示について説明する。図９は、実施形態に係る端末装置におけるハイライトの表示位置の一例を示す図である。なお、図９に示す例においては、図２と同様に、表示領域ＡＲ１０の全体が画面ＤＰ１０に表示されている間において、表示領域ＡＲ１０における要約コンテンツの表示が切り替わるものとする。また、図９に示す例においては、図２と同様に、動画情報が３つのシーンＡ、シーンＢ、シーンＣに分割された場合を例に説明する。図９に示す例においては、図２と同様に、画面ＤＰ１０の下側から上側へ向かって表示領域ＡＲ１０を移動させる場合を例に示す。
【００７４】
また、図９に示す例においては、端末装置１０の画面ＤＰ１０における表示領域ＡＲ１０の位置に応じて、端末装置１０を端末装置１０−２１、端末装置１０−２２として説明する。なお、端末装置１０−２１、端末装置１０−２２は同一の端末装置１０である。また、以下では、端末装置１０−２１、端末装置１０−２２について、特に区別なく説明する場合には、端末装置１０と記載する。なお、図９に示す例において、表示領域ＡＲ１０を図示するため、画面ＤＰ１０と表示領域ＡＲ１０との間に隙間を空けて図示する。
【００７５】
まず、端末装置１０−２１は、表示領域ＡＲ１０の下端ＢＴ２の位置が画面ＤＰ１０の下端ＢＴ１の位置と同じである場合を示し、この場合において、表示領域ＡＲ１０の中間の位置を中間下端位置ＭＤ２１とする。また、端末装置１０−２２は、表示領域ＡＲ１０の上端ＴＰ２の位置が画面ＤＰ１０の上端ＴＰ１の位置と同じである場合を示し、この場合において、表示領域ＡＲ１０の中間の位置を中間上端位置ＭＤ２２とする。すなわち、図９に示す例においては、表示領域ＡＲ１０の中間ＭＤ２が中間下端位置ＭＤ２１から中間上端位置ＭＤ２２まで移動する間、表示領域ＡＲ１０における要約コンテンツの表示が切り替わる。
【００７６】
まず、シーンＡがハイライトに指定されたパターンＰＴ１１について説明する。この場合、表示領域ＡＲ１０の画面ＤＰ１０における移動と、表示領域ＡＲ１０に表示される画像情報に対応するシーンとの対応はシーン割ＦＲ１１のようになる。具体的には、表示領域ＡＲ１０の中間ＭＤ２が中間下端位置ＭＤ２１から画面ＤＰ１０の中間ＭＤ１を超えて所定の位置ＭＤ３１に到達するまで、シーンＡに対応する画像情報が表示領域ＡＲ１０に表示される。すなわち、表示領域ＡＲ１０の中間ＭＤ２が画面ＤＰ１０の中間ＭＤ１に到達した時点において、ハイライトに指定されたシーンＡから抽出された画像情報が表示領域ＡＲ１０に表示される。これにより、ユーザが視認しやすい画面ＤＰ１０の中央部においてハイライトに指定されたシーンＡから抽出された画像情報を表示させることができる。また、表示領域ＡＲ１０の中間ＭＤ２が所定の位置ＭＤ３１から所定の位置ＭＤ３２に到達するまで、シーンＢに対応する画像情報が表示領域ＡＲ１０に表示される。また、表示領域ＡＲ１０の中間ＭＤ２が所定の位置ＭＤ３２から中間上端位置ＭＤ２２に到達するまで、シーンＣに対応する画像情報が表示領域ＡＲ１０に表示される。
【００７７】
次に、シーンＢがハイライトに指定されたパターンＰＴ１２について説明する。この場合、表示領域ＡＲ１０の画面ＤＰ１０における移動と、表示領域ＡＲ１０に表示される画像情報に対応するシーンとの対応はシーン割ＦＲ１２のようになる。具体的には、表示領域ＡＲ１０の中間ＭＤ２が中間下端位置ＭＤ２１から画面ＤＰ１０の中間ＭＤ１より下部に位置する所定の位置ＭＤ３３に到達するまで、シーンＡに対応する画像情報が表示領域ＡＲ１０に表示される。また、表示領域ＡＲ１０の中間ＭＤ２が所定の位置ＭＤ３３から画面ＤＰ１０の中間ＭＤ１を超えて所定の位置ＭＤ３４に到達するまで、シーンＢに対応する画像情報が表示領域ＡＲ１０に表示される。すなわち、表示領域ＡＲ１０の中間ＭＤ２が画面ＤＰ１０の中間ＭＤ１に到達した時点において、ハイライトに指定されたシーンＢから抽出された画像情報が表示領域ＡＲ１０に表示される。これにより、ユーザが視認しやすい画面ＤＰ１０の中央部においてハイライトに指定されたシーンＢから抽出された画像情報を表示させることができる。また、表示領域ＡＲ１０の中間ＭＤ２が所定の位置ＭＤ３４から中間上端位置ＭＤ２２に到達するまで、シーンＣに対応する画像情報が表示領域ＡＲ１０に表示される。
【００７８】
次に、シーンＣがハイライトに指定されたパターンＰＴ１３について説明する。この場合、表示領域ＡＲ１０の画面ＤＰ１０における移動と、表示領域ＡＲ１０に表示される画像情報に対応するシーンとの対応はシーン割ＦＲ１３のようになる。具体的には、表示領域ＡＲ１０の中間ＭＤ２が中間下端位置ＭＤ２１から画面ＤＰ１０の中間ＭＤ１より下部に位置する所定の位置ＭＤ３５に到達するまで、シーンＡに対応する画像情報が表示領域ＡＲ１０に表示される。また、表示領域ＡＲ１０の中間ＭＤ２が所定の位置ＭＤ３５から画面ＤＰ１０の中間ＭＤ１より下部に位置する所定の位置ＭＤ３６に到達するまで、シーンＢに対応する画像情報が表示領域ＡＲ１０に表示される。また、表示領域ＡＲ１０の中間ＭＤ２が所定の位置ＭＤ３６から画面ＤＰ１０の中間ＭＤ１を超えて中間上端位置ＭＤ２２に到達するまで、シーンＣに対応する画像情報が表示領域ＡＲ１０に表示される。すなわち、表示領域ＡＲ１０の中間ＭＤ２が画面ＤＰ１０の中間ＭＤ１に到達した時点において、ハイライトに指定されたシーンＣから抽出された画像情報が表示領域ＡＲ１０に表示される。これにより、ユーザが視認しやすい画面ＤＰ１０の中央部においてハイライトに指定されたシーンＣから抽出された画像情報を表示させることができる。
【００７９】
また、シーンＡ〜シーンＣの全てがハイライトに指定された、言い換えるとハイライトが指定されていないパターンＰＴ１４について説明する。この場合、表示領域ＡＲ１０の画面ＤＰ１０における移動と、表示領域ＡＲ１０に表示される画像情報に対応するシーンとの対応はシーン割ＦＲ１４のようになる。具体的には、各シーンから均等画像情報が抽出されるため、表示領域ＡＲ１０の中間ＭＤ２が画面ＤＰ１０の中間ＭＤ１に到達した時点において、シーンＡ〜シーンＣの中央に位置するシーンＢに対応する画像情報が表示領域ＡＲ１０に表示される。
【００８０】
具体的には、表示領域ＡＲ１０の中間ＭＤ２が中間下端位置ＭＤ２１から画面ＤＰ１０の中間ＭＤ１より下部に位置する所定の位置ＭＤ３７に到達するまで、シーンＡに対応する画像情報が表示領域ＡＲ１０に表示される。また、表示領域ＡＲ１０の中間ＭＤ２が所定の位置ＭＤ３７から画面ＤＰ１０の中間ＭＤ１を超えて所定の位置ＭＤ３８に到達するまで、シーンＢに対応する画像情報が表示領域ＡＲ１０に表示される。また、表示領域ＡＲ１０の中間ＭＤ２が所定の位置ＭＤ３８から中間上端位置ＭＤ２２に到達するまで、シーンＣに対応する画像情報が表示領域ＡＲ１０に表示される。
【００８１】
上述の例においては、表示領域ＡＲ１０の中間の位置に基づく表示領域ＡＲ１０の表示を切り替える場合を示したが、ハイライトに指定された部分に対応する画像情報の表示については、表示領域の中間の位置に限らず、目的に応じて種々の条件により決定されてもよい。例えば、ハイライトに指定された部分に対応する画像情報の表示は、表示領域の上端や下端の位置に基づいて決定されてもよい。なお、表示領域ＡＲ１０が画面ＤＰ１０を上から下へ移動する場合、すなわち、端末装置１０−２２から端末装置１０−２１へ変化する場合も、同様に中間ＭＤ２が画面ＤＰ１０の中間ＭＤ１に到達した時点において、ハイライトに指定されたシーンから抽出された画像情報が表示領域ＡＲ１０に表示されるように表示領域ＡＲ１０の表示を切り替える。
【００８２】
〔７．ユーザによるハイライトの指定〕
次に、ユーザによるハイライトの指定について説明する。図１０は、実施形態に係る端末装置におけるシーンの表示の一例を示す図である。
【００８３】
図１０に示す例において、端末装置１０の画面ＤＰ１０には、ユーザが登録した動画情報における４つのシーンＳＮ１１、ＳＮ１２、ＳＮ１３、ＳＮ１４が表示される。例えば、ユーザは、画面ＤＰ１０に表示されたシーンＳＮ１１、ＳＮ１２、ＳＮ１３、ＳＮ１４をタッチすることにより、ハイライトに指定するシーンを選択してもよい。例えば、図１０に示す例においては、ユーザはシーンＳＮ１２をハイライトに指定する（ステップＳ３１）。ユーザによるハイライトの指定を受け付けた端末装置１０は、ハイライトの指定に関する情報を生成装置１００へ送信する。端末装置１０からハイライトの指定を受け付けて生成装置１００は、受け付けたハイライトの指定に基づいて要約コンテンツを生成する。
【００８４】
また、図１０に示す例において、ユーザは複数のシーンをハイライトに指定したい場合、例えば、シーンＳＮ１２にタッチした指をシーンＳＮ１３が表示された位置まで移動させることにより、シーンＳＮ１２とシーンＳＮ１３との２つのシーンをハイライトとして指定してもよい。
【００８５】
なお、図１０に示すハイライトの指定は一例であって、ユーザがハイライトを指定可能であれば、端末装置１０は、どのように動画情報を表示してもよい。例えば、端末装置１０は、動画情報の全コマに対応する画像情報を画面ＤＰ１０に表示し、ユーザが選択した範囲の画像情報に対応する範囲をハイライトの指定がされた部分としてもよい。
【００８６】
〔８．変形例〕
上述した実施形態に係る生成装置１００は、上記実施形態以外にも種々の異なる形態にて実施されてよい。例えば、生成装置は、動画情報から自動でハイライト部分を検知してもよい。この点について図１１を用いて説明する。
【００８７】
〔８−１．ハイライト検知を行う生成装置の構成〕
図１１を用いて、変形例に係る生成装置２００の構成について説明する。図１１は、変形例に係る生成装置の構成例を示す図である。図１０に示すように、生成装置２００は、通信部１１０と、記憶部１２０と、制御部２３０とを有する。なお、生成装置２００は、生成装置２００の管理者等から各種操作を受け付ける入力部（例えば、キーボードやマウス等）や、各種情報を表示するための表示部（例えば、液晶ディスプレイ等）を有してもよい。なお、生成装置１００と同様の構成については、同一符号を付して同一の処理については説明を省略する。
【００８８】
（記憶部１２０）
記憶部１２０は、例えば、ＲＡＭ、フラッシュメモリ等の半導体メモリ素子、または、ハードディスク、光ディスク等の記憶装置によって実現される。変形例に係る記憶部１２０は、図１１に示すように、動画情報記憶部１２１と、画像情報記憶部１２２とを有する。
【００８９】
（制御部２３０）
制御部２３０は、例えば、ＣＰＵやＭＰＵ等によって、生成装置２００内部の記憶装置に記憶されている各種プログラム（生成プログラムの一例に相当）がＲＡＭを作業領域として実行されることにより実現される。また、制御部２３０は、例えば、ＡＳＩＣやＦＰＧＡ等の集積回路により実現される。
【００９０】
図１１に示すように、制御部２３０は、受付部１３１と、生成部１３２と、配信部１３３と、検知部２３１とを有し、以下に説明する情報処理の機能や作用を実現または実行する。なお、制御部２３０の内部構成は、図１１に示した構成に限られず、後述する情報処理を行う構成であれば他の構成であってもよい。また、制御部２３０が有する各処理部の接続関係は、図１１に示した接続関係に限られず、他の接続関係であってもよい。
【００９１】
（検知部２３１）
検知部２３１は、動画情報におけるハイライトを検知する。例えば、検知部２３１は、動画情報において、所定の閾値以上の音声の変化があった箇所をハイライトとして検知する。検知部２３１は、動画情報において、所定の閾値以上の画像の変化があった箇所をハイライトとして検知する。なお、検知部２３１は、シーンに切り替わりを検知する種々の従来技術を適宜用いて、動画情報におけるハイライトを検知してもよい。
【００９２】
生成部１３２は、検知部２３１により検知されたハイライトに基づいて、複数の画像情報を含む要約コンテンツを生成してもよい。例えば、生成部１３２は、受付部１３１により動画情報が受け付けられた場合、検知部２３１にハイライトの検知を行わせ、検知部２３１により検知されたハイライトに基づいて、複数の画像情報を含む要約コンテンツを生成してもよい。なお、生成部１３２は、検知部２３１により検知されたハイライトの範囲を種々の情報に基づいて変更してもよい。例えば、生成部１３２は、受付部１３１により受け付けられたユーザによるスクロール操作やスクロール切替え操作等の操作ログに基づいて、検知部２３１により検知されたハイライトの範囲を修正し、要約コンテンツを生成してもよい。また、生成部１３２は、ユーザによるスクロール操作やスクロール切替え操作等の操作ログに基づいてハイライトを修正し、要約コンテンツを再生成してもよい。例えば、生成部１３２は、スクロールの切り替えが行われた直前の画像がハイライトに適した部分であると判定し、検知部２３１により検知されたハイライトの範囲を修正してもよい。
【００９３】
また、受付部１３１は、検知部２３１により検知されたハイライトに対するユーザの指定を受け付けてもよい。例えば、配信部１３３は、検知部２３１により検知されたハイライトに関する情報を端末装置１０へ送信する。検知部２３１により検知されたハイライトに関する情報を受信した端末装置１０は、検知部２３１により検知されたハイライトに関する情報を表示し、検知部２３１により検知したハイライトに基づいて、ユーザにハイライトに対する指定を行わせる。例えば、端末装置１０は、図１０に示す例のように、シーンＳＮ１２が予めハイライトとして指定された態様で、ユーザにハイライトを指定させる表示を行ってもよい。これにより、ユーザは、ハイライトを指定する操作を簡単に行うことができ、ユーザビリティが向上するため、生成装置２００による生成サービスの利用が促進される。また、この場合、生成部１３２は、受付部１３１により受け付けられたハイライトに対するユーザの指定に基づいて抽出した複数の画像情報を含む要約コンテンツを生成する。
【００９４】
〔８−２．動画情報が広告である場合について〕
なお、動画情報が所定の目的により生成された動画情報であってもよい。例えば、動画情報は広告として機能する動画情報であってもよい。ここでいう広告とは、広告主により入稿された広告だけに限らず、配信したユーザに所望の情報を伝達したり、ユーザに関心を持たせたり、ユーザを所定の行動へ誘導したり、広告としての機能を有する種々の情報を含むものとする。例えば、生成装置１００や生成装置２００が広告として機能する動画情報から生成した要約コンテンツは、広告として機能する。この場合、配信システム１においては、端末装置１０における動画情報から生成された要約コンテンツへのスクロールに応じて、要約コンテンツの表示態様が変化した回数や広告が表示された時間等に基づいて、広告主に課金してもよい。
【００９５】
〔９．効果〕
上述してきたように、実施形態に係る生成装置１００及び変形例に係る生成装置２００は、受付部１３１と、生成部１３２とを有する。受付部１３１は、動画情報における注目箇所（実施形態においては「ハイライト」。以下同じ）の指定を受け付ける。生成部１３２は、受付部１３１により受け付けられた注目箇所の指定に基づいて、動画情報から、注目箇所の指定がされた範囲と、他の範囲とを異なる間隔で抽出した複数の画像情報を含む要約コンテンツを生成する。
【００９６】
これにより、実施形態に係る生成装置１００及び変形例に係る生成装置２００は、適切に動画の内容をユーザに提供する情報を生成することができる。具体的には、生成装置１００、２００は、ハイライトの指定がされたシーンの内容を他のシーンの内容よりも多く含む要約コンテンツを生成することにより、適切に動画の内容をユーザに提供する情報を生成することができる。
【００９７】
また、実施形態に係る生成装置１００及び変形例に係る生成装置２００において、生成部１３２は、端末装置１０において所定の方向にスクロール可能に表示されるコンテンツに含まれる表示領域（実施形態においては「表示領域ＡＲ１０」。以下同じ）に、所定の方向へのスクロールに応じて、所定の順序で複数の画像情報が連続して表示される要約コンテンツを生成する。
【００９８】
これにより、実施形態に係る生成装置１００及び変形例に係る生成装置２００は、ユーザ操作に連動して表示態様が変化する要約コンテンツを生成することができ、適切に動画の内容をユーザに提供する情報を生成することができる。
【００９９】
また、実施形態に係る生成装置１００及び変形例に係る生成装置２００において、生成部１３２は、端末装置１０において表示領域が所定の方向の中央に表示される際に、複数の画像情報のうち、注目箇所の指定がされた範囲に対応する画像情報が表示される要約コンテンツを生成する。
【０１００】
これにより、実施形態に係る生成装置１００及び変形例に係る生成装置２００は、ユーザが視認しやすい位置に要約コンテンツが表示された際に、ハイライト部分の画像情報を表示する要約コンテンツを生成することができ、適切に動画の内容をユーザに提供する情報を生成することができる。
【０１０１】
また、実施形態に係る生成装置１００及び変形例に係る生成装置２００において、生成部１３２は、所定の方向とは逆方向へのスクロールに応じて、所定の順序とは逆の順序で複数の画像情報が連続して表示される要約コンテンツを生成する。
【０１０２】
これにより、実施形態に係る生成装置１００及び変形例に係る生成装置２００は、ユーザ操作に連動して表示態様が変化する要約コンテンツを生成することができる。生成装置１００、２００は、ユーザに何度も要約コンテンツに対する操作を行わせることにより、ユーザを要約コンテンツに注目させることができるため、適切に動画の内容をユーザに提供する情報を生成することができる。
【０１０３】
また、変形例に係る生成装置２００は、検知部２３１を有する。検知部２３１は、動画情報における注目箇所を検知する。
【０１０４】
これにより、変形例に係る生成装置２００は、ユーザによりハイライトの指定を行わせることなく、動画情報におけるハイライトの部分を特定できる。そのため、ユーザは簡単な操作により要約コンテンツの生成が可能になるため、ユーザビリティが向上し生成サービスの利用が促進される。
【０１０５】
また、変形例に係る生成装置２００において、生成部１３２は、検知部２３１により検知された注目箇所に基づいて、複数の画像情報を含む要約コンテンツを生成する。
【０１０６】
これにより、変形例に係る生成装置２００は、ユーザによりハイライトの指定を行わせることなく、自動的に検知されたハイライトの部分に基づいて要約コンテンツの生成が可能になる。そのため、ユーザビリティが向上し生成サービスの利用が促進される。
【０１０７】
また、変形例に係る生成装置２００において、検知部２３１は、動画情報において、所定の閾値以上の音声の変化があった箇所を注目箇所として検知する。
【０１０８】
これにより、変形例に係る生成装置２００は、ユーザによりハイライトの指定を行わせることなく、動画情報におけるハイライトの部分を精度よく特定できる。そのため、ユーザは簡単な操作により要約コンテンツの生成が可能になるため、ユーザビリティが向上し生成サービスの利用が促進される。
【０１０９】
また、変形例に係る生成装置２００において、検知部２３１は、動画情報において、所定の閾値以上の画像の変化があった箇所を注目箇所として検知する。
【０１１０】
これにより、変形例に係る生成装置２００は、ユーザによりハイライトの指定を行わせることなく、動画情報におけるハイライトの部分を精度よく特定できる。そのため、ユーザは簡単な操作により要約コンテンツの生成が可能になるため、ユーザビリティが向上し生成サービスの利用が促進される。
【０１１１】
また、変形例に係る生成装置２００において、受付部１３１は、検知部２３１により検知された注目箇所に対するユーザの指定を受け付ける。また、生成部１３２は、受付部１３１により受け付けられた注目箇所に対するユーザの指定に基づいて抽出した複数の画像情報を含む要約コンテンツを生成する。
【０１１２】
これにより、変形例に係る生成装置２００は、検知したハイライトの指定をユーザに行わせることにより、動画情報におけるハイライトの部分を特定できる。そのため、ユーザは簡単な操作により要約コンテンツの生成が可能になるため、ユーザビリティが向上し生成サービスの利用が促進される。
【０１１３】
また、実施形態に係る生成装置１００及び変形例に係る生成装置２００において、受付部１３１は、要約コンテンツを他のサービスに投稿する操作を受け付ける。また、生成部１３２は、要約コンテンツに基づいて、他のサービスに投稿する動画情報を生成する。
【０１１４】
これにより、実施形態に係る生成装置１００及び変形例に係る生成装置２００は、ユーザの操作に応じて、要約コンテンツに基づく動画情報を生成することができる。また、他のサービスで動画情報を表示させることにより、生成サービスの利用が促進される。
【０１１５】
また、実施形態及び変形例に係る端末装置１０は、表示部１５４と、受付部１５１とを有する。表示部１５４は、動画情報から生成された要約コンテンツであって、注目箇所の指定がされた範囲と、他の範囲とを異なる間隔で抽出した複数の画像情報を含む要約コンテンツを表示する。受付部１５１は、表示部１５４により表示された要約コンテンツの表示を変更するユーザ操作を受け付ける。
【０１１６】
これにより、実施形態及び変形例に係る端末装置１０は、適切に動画の内容をユーザに提供する情報を表示することができる。具体的には、端末装置１０は、ハイライトの指定がされたシーンの内容を他のシーンの内容よりも多く含む要約コンテンツを表示することにより、適切に動画の内容をユーザに提供する情報を表示することができる。
【０１１７】
また、実施形態及び変形例に係る端末装置１０において、表示部１５４は、所定の方向にスクロール可能に表示されるコンテンツに含まれる表示領域に、所定の方向へのスクロールに応じて、所定の順序で複数の画像情報が連続して表示される要約コンテンツを表示する。
【０１１８】
これにより、実施形態及び変形例に係る端末装置１０は、ユーザ操作に連動して表示態様が変化する要約コンテンツを生成することができ、適切に動画の内容をユーザに提供する情報を表示することができる。
【０１１９】
また、実施形態及び変形例に係る端末装置１０において、表示部１５４は、表示領域が画面における所定の方向の中央に表示される際に、複数の画像情報のうち、注目箇所の指定がされた範囲に対応する画像情報が表示される要約コンテンツを表示する。
【０１２０】
これにより、実施形態及び変形例に係る端末装置１０は、ユーザが視認しやすい位置に要約コンテンツが表示された際に、ハイライト部分の画像情報が表示される要約コンテンツを表示することができ、適切に動画の内容をユーザに提供する情報を表示することができる。
【０１２１】
また、実施形態及び変形例に係る端末装置１０において、表示部１５４は、所定の方向とは逆方向へのスクロールに応じて、所定の順序とは逆の順序で複数の画像情報が連続して表示される要約コンテンツを表示する。
【０１２２】
これにより、実施形態及び変形例に係る端末装置１０は、ユーザ操作に連動して表示態様が変化する要約コンテンツを表示することができる。これにより、端末装置１０は、ユーザに何度も要約コンテンツに対する操作を行わせることにより、ユーザを要約コンテンツに注目させることができるため、適切に動画の内容をユーザに提供する情報を表示することができる。
【０１２３】
〔１０．ハードウェア構成〕
上述してきた実施形態に係る生成装置１００及び変形例に係る生成装置２００は、例えば図１２に示すような構成のコンピュータ１０００によって実現される。図１２は、生成装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１２４】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１２５】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１２６】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１２７】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２８】
例えば、コンピュータ１０００が実施形態に係る生成装置１００及び変形例に係る生成装置２００として機能する場合、コンピュータ１０００のＣＰＵ１１００は、ＲＡＭ１２００上にロードされたプログラムを実行することにより、制御部１３０、２３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１２９】
以上、本願の実施形態及び変形例のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１３０】
〔１１．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１３１】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１３２】
また、上述してきた実施形態及び変形例は、処理内容を矛盾させない範囲で適宜組み合わせることが可能である。
【０１３３】
また、上述してきた「部（section、module、unit）」は、「手段」や「回路」などに読み替えることができる。例えば、受付部は、受付手段や受付回路に読み替えることができる。
【符号の説明】
【０１３４】
１  配信システム
１００  生成装置
１２１  動画情報記憶部
１２２  画像情報記憶部
１３０  制御部
１３１  受付部
１３２  生成部
１３３  配信部
１０  端末装置
１５１  受付部
１５２  送信部
１５３  受信部
１５４  表示部
Ｎ  ネットワーク
【要約】
【課題】適切に動画の内容をユーザに提供する情報を生成すること。
【解決手段】本願に係る生成装置は、受付部と、生成部とを有する。受付部は、動画情報における注目箇所の指定を受け付ける。生成部は、受付部により受け付けられた注目箇所の指定に基づいて、動画情報から、注目箇所の指定がされた範囲と、他の範囲とを異なる間隔で抽出した複数の画像情報を含む要約コンテンツを生成する。例えば、生成部は、端末装置において所定の方向にスクロール可能に表示されるコンテンツに含まれる表示領域に、所定の方向へのスクロールに応じて、所定の順序で複数の画像情報が連続して表示される要約コンテンツを生成する。
【選択図】図４【図１】
0006055522.tif 000002
【図２】
0006055522.tif 000003
【図３】
0006055522.tif 000004
【図４】
0006055522.tif 000005
【図５】
0006055522.tif 000006
【図６】
0006055522.tif 000007
【図７】
0006055522.tif 000008
【図８】
0006055522.tif 000009
【図９】
0006055522.tif 000010
【図１０】
0006055522.tif 000011
【図１１】
0006055522.tif 000012
【図１２】
0006055522.tif 000013